(57)【特許請求の範囲】
【請求項１】
電気・電子部品が実装された基板を、蓋部材とベース部材からなる基板ボックスに収容する制御装置を備え、
前記基板ボックスの外面適所には、前記蓋部材と前記ベース部材とが重合する重合部を複数形成し、所要の固着手段により重合部を分離困難に固着した基板ボックスは、固着した重合部を切除することで開放可能となるようにした遊技機において、
前記重合部には、所定の通信装置と通信可能なＩＣタグを各々配設し、
前記ＩＣタグは、前記固着手段により前記重合部が固着されているか否かを検出する固着検出手段を有し、前記通信装置によって、当該ＩＣタグの固有識別情報、前記固着検出手段により検出した固着情報、重合部が切除されたか否かを判定可能な重合部切除情報を取得可能とし、
前記ベース部材の前記重合部における前記蓋部材との重合面には、窪み状のＩＣタグ配設凹部を形成し、
前記基板ボックスの各重合部には、蓋部材とベース部材に連通する固着孔を各々設け、締め付けると緩めることができない強磁性体製の固着ネジを固着手段とし、固着ネジを固着孔へ締め付けることにより蓋部材とベース部材を分離困難ならしめ、
前記ＩＣタグの固着検出手段は、前記固着孔の近傍適所に配置した磁気検知素子と、該磁気検知素子と固着孔を挟んで反対側に配置した永久磁石とから構成し、
前記固着ネジを前記固着孔に締め付けた固着状態を、永久磁石から磁気検知素子に作用する磁場の影響が低下した状態として検出するようにしたことを特徴とする遊技機。
【請求項２】
前記基板ボックスの各重合部には、切除に適した切除部を形成し、
前記ＩＣタグは、前記通信装置からの質問信号を受信するアンテナと前記固有識別情報を記憶するＩＣとを有するとともに、前記切除部に前記アンテナおよび／またはＩＣを配置し、
前記切除部を切除するとＩＣタグから前記通信装置への通信が不能となるようにしたことを特徴とする請求項１に記載の遊技機。
【発明の詳細な説明】
【技術分野】
【０００１】
本発明は、電気・電子部品が実装された基板を、蓋部材とベース部材からなる基板ボックスに収容する制御装置を備え、前記基板ボックスの外面適所には、前記蓋部材と前記ベース部材とが重合する重合部を複数形成し、所要の固着手段により重合部を分離困難に固着した基板ボックスは、固着した重合部を切除することで開放可能となるようにした遊技機に関する。
【背景技術】
【０００２】
従来より、遊技機において主たる遊技制御を行う遊技制御装置は、各種の電子・電気部品が実装された遊技制御基板を制御基板ボックスに収納された構成となっている。この制御基板ボックスは、遊技制御基板を固定・保持するベース部材の開口面を蓋部材で閉止するもので、蓋部材から接続用コネクタ部のみを露出させ、遊技制御基板の電子・電気部品は外部に露出しないようになっている。
【０００３】
よって、内部に収納した遊技制御基板に対する不正な改竄を防止するためには、制御基板ボックスが容易に開放されないようすればよいので、ベース部材と蓋部材を閉止した後、これを開放不能に封印する重合部を制御基板ボックスに複数設けておき、重合部を切除することでベース部材と蓋部材の固着部分を取り除かないと、制御基板ボックスを開放できないようにしていた。すなわち、公的検査機関等による遊技機の検査に際しては、重合部を切除して制御基板ボックスを開放し、検査終了後には、未固着である他の重合部によってベース部材と蓋部材を固着するので、正規の検査以外で制御基板ボックスが開放されていれば、重合部の切除履歴から明確に知ることができるのである。
【０００４】
このように、制御基板ボックスに重合部を設けておけば、重合部の切除履歴から制御基板ボックスの不正な開放を知ることはできるものの、遊技機の裏面側に取り付けられている遊技制御装置を検査等で確認するまで不正開放を見つけることができないので、制御基板ボックスにおける重合部が切除されたことを遊技制御装置で電気的に検出できるようにした遊技機が提案されている（例えば、特許文献１参照）。
【０００５】
【特許文献１】特開平１１−４４７号公報
【発明の開示】
【発明が解決しようとする課題】
【０００６】
しかしながら、特許文献１に記載の発明では、重合部が切除されたことしか検出できないので、制御基板ボックスを開放して遊技制御基板の検査を行った後に再び閉止したベース部材と蓋部材を固着するのを忘れて気づかなかった場合や、悪意を持った従業員が意図的に固着しなかった場合など、重合部が未固着である状態を検出できないので、重合部を切除することなく制御基板ボックスを開放できる状態にあることを看過ごす可能性があるという問題があった。
【０００７】
また、特許文献１に記載の発明では、重合部の切除を検出するための金属片を遊技制御基板に接続する構造であることから、この金属片を用いて、意図的に遊技制御装置の誤動作を引き起こすような不正が行われる可能性もあり、遊技制御装置の動作信頼性を損なうことになりかねない。
【０００８】
そこで、本発明は、上記問題点に鑑み、重合部によりベース部材と蓋部材とを開放不能に固着できる基板ボックスに電気・電子部品が実装された基板を収容する制御装置の開放履歴に加えて、重合部による固着状態を知ることが可能で、尚かつ、装置の信頼性を損なうことのない遊技機の提供を目的とする。
【課題を解決するための手段】
【０００９】
上記の課題を解決するために、請求項１に係る発明は、電気・電子部品が実装された基板を、蓋部材とベース部材からなる基板ボックスに収容する制御装置を備え、前記基板ボックスの外面適所には、前記蓋部材と前記ベース部材とが重合する重合部を複数形成し、所要の固着手段により重合部を分離困難に固着した基板ボックスは、固着した重合部を切除することで開放可能となるようにした遊技機において、前記重合部には、所定の通信装置と通信可能なＩＣタグを各々配設し、前記ＩＣタグは、前記固着手段により前記重合部が固着されているか否かを検出する固着検出手段を有し、前記通信装置によって、当該ＩＣタグの固有識別情報、前記固着検出手段により検出した固着情報、重合部が切除されたか否かを判定可能な重合部切除情報を取得可能とし、前記ベース部材の前記重合部における前記蓋部材との重合面には、窪み状のＩＣタグ配設凹部を形成し、
前記基板ボックスの各重合部には、蓋部材とベース部材に連通する固着孔を各々設け、締め付けると緩めることができない強磁性体製の固着ネジを固着手段とし、固着ネジを固着孔へ締め付けることにより蓋部材とベース部材を分離困難ならしめ、
前記ＩＣタグの固着検出手段は、前記固着孔の近傍適所に配置した磁気検知素子と、該磁気検知素子と固着孔を挟んで反対側に配置した永久磁石とから構成し、
前記固着ネジを前記固着孔に締め付けた固着状態を、永久磁石から磁気検知素子に作用する磁場の影響が低下した状態として検出するようにしたことを特徴とする。
【００１０】
また、請求項２に係る発明は、上記請求項１に記載の遊技機において、前記基板ボックスの各重合部には、切除に適した切除部を形成し、前記ＩＣタグは、前記通信装置からの質問信号を受信するアンテナと前記固有識別情報を記憶するＩＣとを有するとともに、前記切除部に前記アンテナおよび／またはＩＣを配置し、前記切除部を切除するとＩＣタグから前記通信装置への通信が不能となるようにしたことを特徴とする。
【発明の効果】
【００１１】
請求項１に係る遊技機によれば、前記重合部には、所定の通信装置と通信可能なＩＣタグを各々配設し、前記ＩＣタグは、前記固着手段により前記重合部が固着されているか否かを検出する固着検出手段を有し、前記通信装置によって、当該ＩＣタグの固有識別情報、前記固着検出手段により検出した固着情報、重合部が切除されたか否かを判定可能な重合部切除情報を取得可能とし、前記ベース部材の前記重合部における前記蓋部材との重合面には、窪み状のＩＣタグ配設凹部を形成したので、ベース部材のＩＣタグ配設凹部へＩＤタグを適切に配設することができ、基板ボックスの各重合部の状態として、切除・未切除に加えて固着・未固着を通信装置で取得できるので、不正に基板ボックスが開放された形跡を検出できることに加えて、基板ボックス開放後に基板ボックスを固着し忘れたり、意図的に基板ボックスが未固着のままで放置されたりすることを効果的に防止できる。また、各重合部に配置したＩＣタグの固有識別情報を事前に管理しておけば、不正開放の履歴が分からないように基板ボックスごと別のものに交換された場合でも、ＩＣタグの固有識別情報から検出することが可能となる。さらに、前記基板ボックスの各重合部には、蓋部材とベース部材に連通する固着孔を各々設け、締め付けると緩めることができない強磁性体製の固着ネジを固着手段とし、固着ネジを固着孔へ締め付けることにより蓋部材とベース部材を分離困難ならしめ、前記ＩＣタグの固着検出手段は、前記固着孔の近傍適所に配置した磁気検知素子と、該磁気検知素子と固着孔を挟んで反対側に配置した永久磁石とから構成し、前記固着ネジを前記固着孔に締め付けた固着状態を、永久磁石から磁気検知素子に作用する磁場の影響が低下した状態として検出するようにしたので、簡単な構成で固着状態を確実に検出できる。
【００１２】
また、請求項２に係る遊技機によれば、前記基板ボックスの各重合部には、切除に適した切除部を形成し、前記ＩＣタグは、前記通信装置からの質問信号を受信するアンテナと前記固有識別情報を記憶するＩＣとを有するとともに、前記切除部に前記アンテナおよび／またはＩＣを配置し、前記切除部を切除するとＩＣタグから前記通信装置への通信が不能となるようにしたので、基板ボックスを開放するために、重合部の切除部を切除すると、ＩＣタグのアンテナかＩＣ、或いはアンテナとＩＣの両方が切断されてＩＣタグの機能が確実に損なわれるので、切除した重合部に配したＩＣタグで未切除の状態を偽装することが事実上不可能となり、ＩＣタグから取得する状態情報の信頼性を高めることができる。
【発明を実施するための最良の形態】
【００１３】
次に、本発明に係る遊技機の実施形態を添付図面に基づき詳細に説明する。図１に示すのは、パチンコ遊技を行える遊技機１の正面図で、遊技機本体１ａの側方に遊技球を貸し出すためのプリペイドカードを処理するカードユニット１ｂを備えるものとしてある。
【００１４】
遊技機本体１ａは、機枠２の前面側に額縁状の前面枠３を開閉可能に設け、該前面枠３に開設した窓部の前面側に、ガラス板やアクリル板等の透明部材を保持する透明部材保持枠４と開閉部材５を開閉可能に軸着し、窓部の背面側には窓部を塞ぐようにして遊技盤６を装着し、前面枠３の下部前面側に球受皿７と発射操作ハンドル８などを取り付けてある。
【００１５】
また、開閉部材５には遊技球貯留手段として球供給皿９を設け、該球供給皿９より打球発射機構（図示省略）へ供給された遊技球が弾発され、遊技盤６の遊技領域６ａ（主として、透明部材保持枠４の装飾部材４ａにより覆われていない遊技窓部４ｂから遊技者が視認できる状態になっている領域）へ到達する。なお、遊技領域６ａには、障害釘が植設されると共に、大型の表示装置６ｂや球の入賞状態が変化する変動入賞装置６ｃといった大型の遊技装置のほか、種々の入賞具や風車が配置されている。
【００１６】
また、プリペイドカードで遊技球を借り受ける場合、カードユニット１ｂのカード挿入口１０にプリペイドカードを挿入すると、そのプリペイドカードでの球貸が可能であれば使用可能な度数が度数表示器１１に表示され、球貸スイッチ１２を操作する毎に単位度数分（例えば、１００円に相当する１度数分）の球貸動作が行われる。なお、カード返却スイッチ１３が操作されると、プリペイドカードがカード挿入口１０より排出される。
【００１７】
上述した遊技機１の裏側には、図２に示すように、遊技機としての諸機能を実現するための機構（例えば、島設備より供給される遊技球を受けて貯留して球貸要求に応じた球排出や賞球排出を行う機構、遊技盤に設けられた各種入賞口へ入賞して回収された遊技球や何れの入賞口にも入賞せずにアウト口から回収された遊技球を機外の回収球搬送路へ導く遊技球回収機構など）のほか、遊技盤６に設けた各種遊技装置の動作制御などを行うことで遊技の進行を統括的に制御する遊技制御装置１４、球排出や打球の発射制御を行う排出・発射制御装置１５、各部へ所定の電源を供給する電源装置１６等の各種装置を適所に設けてある。
【００１８】
遊技機１の裏面側に設けられる各種装置は、遊技の円滑な制御に不可欠であり、不正に改竄されたり、意図的に誤動作させられたりすると、遊技機１の信頼性を損なうことになる。特に、遊技進行の統括的な制御を行う遊技制御装置１４は、遊技制御のプログラム等を記憶保持しているため、その秘匿性を担保する必要から、開封には制限を加えるものとなっている。以下、遊技制御装置１４の詳細な構造について説明する。
【００１９】
図３は、遊技制御装置１４の斜視図であり、図４は、遊技制御装置１４の分解斜視図である。この図４に示すように、遊技制御装置１４は、遊技機１の動作に関わる制御を実行するための各種電子・電気部品とコネクタを実装した略四角形状の遊技制御基板２０を、合成樹脂製のベース部材３０と蓋部材４０よりなる基板ボックス５０に収納したものである。
【００２０】
基板ボックス５０は、遊技制御基板２０の一方の面（例えば、コネクタが実装されていない面）を収容した状態で固定するベース部材３０と、該ベース部材３０の開口面を塞ぐと共に遊技制御基板２０のコネクタ２１…を挿通させるコネクタ挿通孔４１…を備える蓋部材４０とから構成する。なお、蓋部材４０は、遊技制御基板２０に実装された各種の電子・電気部品を収容できる収容空部が形成されるように、ベース部材３０に比べて膨出量が大きいものである。
【００２１】
また、蓋部材４０をベース部材３０に対して係脱可能に取り付けられるよう、蓋部材相対向する二側縁（図３及び図４においては、上縁と下縁）から突出する係合片４２を適宜設けると共に、ベース部材３０の対応する二側縁（図３及び図４においては、上縁と下縁）には係合受け部３１を設けておき、係合受け部３１の受入開口３１ａへ係合片４２が入るように蓋部材４０をベース部材３０へ被せ、その状態で蓋部材４０を係合方向（図３及び図４においては左側）へスライドさせると、蓋部材４０を分離する側（図３及び図４においては紙面手前側）に係合壁３１ｂが位置することとなり、蓋部材４０をベース部材３０に係合できるのである。
【００２２】
この係合状態において、蓋部材４０が解除方向（図３及び図４においては右側）へスライドすると、蓋部材４０とベース部材３０との係合状態が簡単に解除されてしまうので、例えば、蓋部材４０には係止操作片４３を設け、蓋部材４０とベース部材３０が適切な係合状態になると、係止操作片４３の係止部がベース部材３０に設けた係止突起３２に係止して、蓋部材４０が解除方向へスライドしない構造とした。なお、係止操作片４３を手動操作することで係止突起３２との係止状態を解くと、蓋部材４０を解除方向へスライドさせることが可能となり、蓋部材４０とベース部材３０を分離することができる。
【００２３】
上述したように、ベース部材３０に蓋部材４０を適正に係合させた状態である基板ボックス５０の重合部形成壁５０ａ（蓋部材４０の重合部形成壁４０ａとベース部材３０の重合部形成壁３０ａとから成り、図３及び図４においては右側壁）には、蓋部材４０とベース部材３０とが重合する第１重合部５１，第２重合部５２，第３重合部５３，第４重合部５４を設けてある。第１〜第４重合部５１〜５４は、基板ボックス５０の重合部形成壁５０ａから突出する切除部５１ａ〜５４ａと、各切除部５１ａ〜５４ａの延出端側に設けた固着部５１ｂ〜５４ｂを夫々備える。なお、第１〜第４重合部５１〜５４は、蓋部材４０の第１〜第４蓋側重合部４４１〜４４４とベース部材３０の第１〜第４ベース側重合部３３１〜３３４とが相互に重なり合うことで形成される。
【００２４】
切除部５１ａ〜５４ａは、ニッパー等の切断具によって比較的容易に切断できる部位であり、蓋部材４０の第１〜第４蓋側重合部４４１〜４４４における各蓋側切除部４４１ａ〜４４４ａとベース部材３０の第１〜第４ベース側重合部３３１〜３３４における各ベース側切除部３３１ａ〜３３４ａとが相互に重なり合うことで形成される。
【００２５】
固着部５１ｂ〜５４ｂは、蓋部材４０とベース部材３０に連通する固着孔を有するもので、締め付けると緩めることができないワンウェイネジ５５で締め付ける。この固着部５１ｂ〜５４ｂは、蓋部材４０の第１〜第４蓋側重合部４４１〜４４４における各蓋側固着部４４１ｂ〜４４４ｂとベース部材３０の第１〜第４ベース側重合部３３１〜３３４における各ベース側固着部３３１ｂ〜３３４ｂとが相互に重なり合うことで形成され、ベース部材３０に蓋部材４０を適正に係合させた状態においては、蓋側固着部４４１ｂ〜４４４ｂに各々設けた固着孔４４１ｃ〜４４４ｃとベース側固着部３３１ｂ〜３３４ｂに各々設けた有底の固着穴３３１ｃ〜３３４ｃが連通し、固着部５１ｂ〜５４ｂにおける固着孔となる。
【００２６】
そして、第１〜第４重合部５１〜５４の固着部５１ｂ〜５４ｂの何れかにおける固着孔をワンウェイネジ５５で締め付けると、ワンウェイネジ５５を固着部５１ｂ〜５４ｂから外せないために、基板ボックス５０における蓋部材４０を解除方向へスライドさせることができなくなり、蓋部材４０とベース部材３０を分離することができなくなる。蓋部材４０とベース部材３０を分離するためには、ワンウェイネジ５５で固着した第１〜第４重合部５１〜５４の切除部５１ａ〜５４ａを切断し、重合部形成壁５０ａから固着部５１ｂ〜５４ｂを除去しなければならないので、基板ボックス５０を開放することは困難となる。しかも、第１〜第４重合部５１〜５４における切除部５１ａ〜５４ａの切断状況から、ワンウェイネジ５５を用いて固着された後に開放された履歴を確認できる。
【００２７】
なお、遊技機１の出荷時に遊技制御装置１４を封止するために第１重合部５１が用いられ、ワンウェイネジ５５を第１重合部５１の固着孔へ締め付けた上で、第１重合部５１の開口端を封止蓋５６により封止（例えば、超音波溶着により隙間無く接着）し、第２〜第４重合部５２〜５４は、蓋部材４０の第２〜第４蓋側重合部４４２〜４４４の各固着孔４４２ｃ〜４４４ｃに各々ワンウェイネジ５５を浅く締め付けた状態（図３を参照）で遊技機１が各遊技店等へ出荷される。
【００２８】
参考例として示す遊技機１の遊技制御装置１４においては、第１〜第４重合部５１〜５４に各々ＩＣタグ６０を配するものとし、このＩＣタグ６０によって第１〜第４重合部５１〜５４の切除・未切除の情報に加えて固着・未固着の情報を取得できるようにした。なお、ＩＣタグ６０は、ベース部材３０の第１〜第４ベース側重合部３３１〜３３４における蓋部材４０との重合面（図４においては紙面手前側の面）に形成した浅い窪み状のＩＣタグ配設凹部３３１ｄ〜６６４ｄに配置する。
【００２９】
ＩＣタグ６０は、図５に示すように、ＩＣ６１とアンテナ６２を表面フィルム６３ａと裏面フィルム６３ｂとで封着した構造で、ＩＣタグ読取装置から送信された電波で動作用電源を生成し、ＩＣタグ読取装置へ適宜な情報（例えば、固有識別情報）を送信する標準的なＩＣタグの機能を有する。これに加えて、第１参考構成例として示すＩＣタグ６０は、固着状態検知用の第１固着検知線６４１と第２固着検知線６４２を有するものであるが、これについては後に詳述する。
【００３０】
また、ＩＣタグ６０は、ＩＣタグ配設凹部３３１ｄ〜６６４ｄの凹部形状に適合するように、ベース側切除部３３１ａ〜３３４ａに対応する部位は狭い幅で長尺な切除部配置領域６０ａとし、ここにはアンテナ６２を配置し、ベース側固着部３３１ｂ〜３３４ｂに対応する部位は略円形状の固着部配置領域６０ｂとし、ここにはＩＣ６１と第１，第２固着検知線６４１，６４２を配置する。加えて、図６に示すように、ベース部材３０における第１〜第４ベース側重合部３３１〜３３４のＩＣタグ配設凹部３３１ｄ〜３３４ｄは、重合部形成壁３０ａよりも内側へ食い込むように形成してあり、ベース側切除部３３１ａ〜３３４ａの全領域に亘ってアンテナ６２が存する配置構造とした。
【００３１】
このように、切除部配置領域６０ａにアンテナ６２を配置しておけば、切除部５１ａ〜５４ａが切断される際には、このアンテナ６２も切断されることとなり、ＩＣタグ読取装置から動作用電源を受けることができなくなるので、ＩＣタグとしての機能を失った破壊状態となる。なお、切除部配置領域６０ａにＩＣ６１を配置しておき、ＩＣが破壊されることでＩＣタグとしての機能を失うようにしても良い。何れにしても、第１〜第４重合部５１〜５４の切除部５１ａ〜５４ａが切断されたときには、ＩＣタグ６０を応答不能にすることで、第１〜第４重合部５１〜５４の切除・未切除の情報を得ることが可能となる。
【００３２】
また、ＩＣタグ６０は、裏面フィルム６３ｂの接着面に塗布した接着剤でＩＣタグ配設凹部３３１ｄ〜３３４ｄの適正位置へ接着するものとし、無理にＩＣタグ６０を剥がし取ろうとすると、アンテナ６２が途中で切断されたり、ＩＣ６１とアンテナ６２との接続が断たれる等して動作機能が破壊されるようにしておけば、ＩＣタグ配設凹部３３１ｄ〜３３４ｄからＩＣタグ６０を剥がして、切除した重合部が切除されていないという情報を送信させたり、固着してない重合部が固着されているという情報を送信させたりする不正を防止できる。
【００３３】
さらに、固着部配置領域６０ｂには、ベース側固着部３３１ｂ〜３３４ｂの固着穴３３１ｃ〜３３４ｃの開口形状に適合するネジ挿通孔６５を設け、このネジ挿通孔６５の開口内へ第１固着検知線６４１の一端部である導通検知端部６４１ａと第２固着検知線６４２の一端部である導通検知端部６４２ａが若干突出するように配置すると共に、第１固着検知線６４１の他端部であるＩＣ接続部６４１ｂと第２固着検知線６４２の他端部であるＩＣ接続部６４２ｂをＩＣ６１へ接続し、第１固着検知線６４１と第２固着検知線６４２が導通した状態か非導通の状態かをＩＣ６１で検知できるようにしてある。
【００３４】
すなわち、第１〜第４重合部５１〜５４を固着するための固着手段として用いるワンウェイネジ５５を鉄等の導電性素材により形成しておくと共に、第１固着検知線６４１の導通検知端部６４１ａと第２固着検知線６４２の導通検知端部６４２ａがワンウェイネジ５５と接触し得るように配置しておくことで、「固着手段により重合部が固着されているか否かを検出する固着検出手段」として機能し、第１固着検知線６４１と第２固着検知線６４２が導通であれば固着状態と判定でき、第１固着検知線６４１と第２固着検知線６４２が非導通であれば未固着と判定できる。
【００３５】
例えば、第１重合部５１の切除部５１ａを切断して基板ボックス５０を開放して遊技制御基板２０の検査を行った後、第２重合部５２により固着する場合を図７に基づき説明する。図７（ａ）のように、蓋部材４０の係合片４２をベース部材３０の係合受け部３１の受入開口３１ａへ挿入した状態で、蓋部材４０を係合方向へスライドさせて係合状態にすると、第２蓋側重合部４４２の固着孔４４２ｃに浅く螺合させたワンウェイネジ５５を第２ベース側重合部３３２の固着穴３３２ｃへ締め付け可能な位置になるので、図７（ｂ）のようにワンウェイネジ５５を最奥部まで締め付けることで、第２重合部５２の固着が完了する。なお、第１〜第４ベース側重合部３３１〜３３４の固着穴３３１ｃ〜３３４ｃを有底としたのは不正防止のためである。
【００３６】
上記のようにして、ワンウェイネジ５５を第２ベース側重合部３３２の固着穴３３２ｃに締め付けると、ＩＣタグ配設凹部３３２ｄに配置したＩＣタグ６０のネジ挿通孔６５を貫通したワンウェイネジ５５を介して第１固着検知線６４１の導通検知端部６４１ａと第２固着検知線６４２の導通検知端部６４２ａが導通することとなる。
【００３７】
なお、第１参考構成例のように、蓋部材４０を係合方向へスライドさせてベース部材３０と適正な係合状態を生ぜしめる場合、蓋部材４０における第１〜第４蓋側重合部４４１〜４４４の切除部４４１ａ〜４４４ａのみを切断してベース部材３０における第１〜第４ベース側重合部３３１〜３３４の切除部３３１ａ〜３３４ａを残しても、蓋部材４０を解除方向（係合方向の反対）へスライドさせることはできないが、逆に、ベース部材３０における第１〜第４ベース側重合部３３１〜３３４の切除部３３１ａ〜３３４ａを切断して蓋部材４０における第１〜第４蓋側重合部４４１〜４４２４の切除部４４１ａ〜４４４ａのみを残すと、蓋部材４０を解除方向へスライドさせることが可能となり、第１〜第４重合部５１〜５４が切除されていないような外観を保ったまま基板ボックス５０が開放されてしまう可能性がある。そこで、第１参考構成例のように、ベース部材３０における第１〜第４ベース側重合部３３１〜３３４にＩＣタグ配設凹部３３１ｄ〜３３４ｄを形成して、ここにＩＣタグ６０を貼付する構成としておけば、ベース部材３０における第１〜第４ベース側重合部３３１〜３３４の切除部３３１ａ〜３３４ａのみを切断しようとしても、ＩＣタグ６０が破壊され、第１〜第４重合部５１〜５４の切除情報を偽ることが不可能となり、不正防止に有効である。
【００３８】
また、第１参考構成例の蓋部材４０には、ベース部材３０に固定された遊技制御基板２０の重合部形成壁３０ａ側の端部と第１〜第４ベース側重合部３３１〜３３４の内側端部との間に介挿される内部区画壁４０ｂを設けてある。これにより、切除した重合部の隙間から針金等の不正部材を挿入して遊技制御基板２０に誤動作を引き起こすような不正行為を抑制できる。
【００３９】
ここで、第１重合部５１の切除部５１ａを切断して基板ボックス５０を開放して遊技制御基板２０の検査を行った後に第２重合部５２をワンウェイネジ５５で固着した遊技制御装置１７に対し、ＩＣタグ読取装置７０で各ＩＣタグ６０…から情報を取得した具体例を図８及び図９に基づき説明する。
【００４０】
図８（１）に示すように、第１重合部５１のＩＣタグ６０は破壊されているので、ＩＣタグ読取装置７０からの質問信号に対して、ＩＣタグ６０からの応答は無い。よって、図９の収集情報構成図の収集番号１に示すように、第１重合部５１に配したＩＣタグ６０からはＩＤ情報も固着情報もＩＣタグ読取装置７０へ返信されない。
【００４１】
次いで、図８（２）に示すように、第２重合部５２のＩＣタグ６０は、正常に機能していると共に、ワンウェイネジ５５によって第１，第２固着検知線６４１，６４２が導通している。そして、ＩＣタグ読取装置７０からの質問信号に対して、ＩＣタグ６０からＩＤ情報と固着情報が送信される。すなわち、図９の収集情報構成図の収集番号２に示すように、第２重合部５２に配したＩＣタグ６０からはＩＤ情報として“Ａ００１２７５２”が、固着情報として“固着”がＩＣタグ読取装置７０へ返信される。
【００４２】
また、図８（３），（４）に示すように、第３重合部５３および第４重合部５４のＩＣタグ６０は、正常に機能していると共に、第１，第２固着検知線６４１，６４２は非導通である。そして、ＩＣタグ読取装置７０からの質問信号に対して、両方のＩＣタグ６０からＩＤ情報と固着情報が送信される。すなわち、図９の収集情報構成図の収集番号３に示すように、第３重合部５３に配したＩＣタグ６０からはＩＤ情報として“Ａ００１２７５３”が、固着情報として“未固着”がＩＣタグ読取装置７０へ返信され、図９の収集情報構成図の収集番号４に示すように、第４重合部５４に配したＩＣタグ６０からはＩＤ情報として“Ａ００１２７５４”が、固着情報として“未固着”がＩＣタグ読取装置７０へ返信される。
【００４３】
以上説明したように、参考例として示す遊技機１においては、遊技制御装置１４の基板ボックス５０における第１〜第４重合部５１乃至５４にそれぞれ固着検出手段を有するＩＣタグ６０を設けておき、ＩＣタグ読取装置７０によって、各ＩＣタグ６０…の固有識別情報、固着検出手段により検出した固着情報、重合部が切除されたか否かを判定可能な重合部切除情報を取得可能としたので、基板ボックス５０の第１〜第４重合部５１〜５４の状態として、切除・未切除に加えて固着・未固着を取得でき、不正に基板ボックス５０が開放された形跡を的確に検出できる。加えて、基板ボックス５０を開放した後に、基板ボックス５０の重合部を固着し忘れたり、意図的に基板ボックス５０の重合部が未固着のままで放置されたりすることを効果的に防止できる。
【００４４】
また、第１〜第４重合部５１〜５４に配置したＩＣタグ６０の固有識別情報を事前に管理しておけば、不正開放の履歴が分からないように基板ボックス５０ごと別のものに交換された場合でも、第１〜第４重合部５１〜５４に配置したＩＣタグ６０の固有識別情報から、そのような不正を検出することが可能となる。
【００４５】
なお、固着情報を取得するためにＩＣタグに設ける固着検出手段は、上述した第１，第２固着検知線６４１，６４２の導通・非導通を固着手段たるワンウェイネジ５５により生ぜしめるものに限定されない。本発明の実施形態に係る遊技機１では、図１０に示すＩＣタグ６０′のように、ネジ挿通孔６５を挟んで磁気検知素子であるホール素子６６と永久磁石６７を配置しておき、ワンウェイネジ５５を鉄等の強磁性体で形成する構成を必須とする。この場合、永久磁石６７の磁界をホール素子６６が検知できるように、ホール素子６６と永久磁石６７との離隔距離やホール素子の検知感度を設定しておく。
【００４６】
本実施形態に係る遊技機１のＩＣタグ６０′においては、ワンウェイネジ５５が固着孔に締め付けられていないとき、永久磁石６７による磁場をホール素子６６で検知できるが、ワンウェイネジ５５が固着孔に締め付けられてホール素子６６と永久磁石６７との間に強磁性体が介在すると、永久磁石６７からホール素子６６に作用する磁場の影響が低下するので、この状態を固着状態として検知できるのである。
【００４７】
図１１（１）〜（４）に示すように、第１重合部５１の切除部５１ａを切断して基板ボックス５０を開放して遊技制御基板２０の検査を行った後に第２重合部５２をワンウェイネジ５５で固着して第２，第３重合部５３，５４を未固着のまま残した遊技制御装置１７に対し、ＩＣタグ読取装置７０で各ＩＣタグ６０′…から情報を取得した場合、上述した図９の取得情報構成図と同様のＩＤ情報および固着情報を取得することができる。
【００４８】
また、上述したＩＣタグ６０，６０′においては、第１〜第４重合部５１〜５４の切除部５１ａ〜５４ａが切断された切除情報を、ＩＣタグ６０，６０′からの無応答とし、ＩＣタグ読取装置７０によって取得した情報の中にＩＤ情報のないＩＣタグ６０，６０′が配置されている重合部が切除されたものと看做すものとしたが、これに限定されるものではない。例えば、切除状態検出手段を備える第１参考構成例のＩＣタグ６０″を用いることで、重合部が切除されたか否かの切除情報をＩＣタグ読取装置７０へ返信するようにしても良い。
【００４９】
切除状態検出手段は、例えば、図１２に示すように、第１〜第４重合部５１〜５４の切除部５１ａ〜５４ａの全領域に亘って延出し、端部にて折り返した切除検知線６８の両端をＩＣ６１に接続し、切除検知線６８が切断されているか否か、即ち、切除検知線６８が非導通であるか否かによって、第１〜第４重合部５１〜５４の切除部５１ａ〜５４ａの切除・未切除を検出するのである。
【００５０】
図１２（１）に示すように、第１重合部５１のＩＣタグ６０″は、ワンウェイネジ５５によって第１，第２固着検知線６４１，６４２が導通しているものの、切除検知線６８が切断されている。よって、ＩＣタグ読取装置７０からの質問信号に対する第１重合部５１のＩＣタグ６０からの応答は、図１３の収集情報構成図の収集番号１に示すように、ＩＤ情報が“Ａ００１２７５１”、固着情報が“固着”、切除情報が“切除”となる。このように、第２参考構成例のＩＣタグ６０″によれば、第１〜第４重合部５１〜５４が切除されても、ＩＣタグ自体は正常動作するので、切除状態検知手段により取得した切除情報をＩＣタグ読取装置７０へ返信できるのである。
【００５１】
次いで、図１２（２）に示すように、第２重合部５２のＩＣタグ６０″は、ワンウェイネジ５５によって第１，第２固着検知線６４１，６４２が導通していると共に、切除検知線６８は未切除である。よって、ＩＣタグ読取装置７０からの質問信号に対する第２重合部５２のＩＣタグ６０からの応答は、図１３の収集情報構成図の収集番号２に示すように、ＩＤ情報が“Ａ００１２７５２”、固着情報が“固着”、切除情報が“未切除”となる。
【００５２】
また、図１２（３），（４）に示すように、第３重合部５３および第４重合部５４のＩＣタグ６０は、第１，第２固着検知線６４１，６４２は非導通であると共に、切除検知線６８は未切除である。よって、ＩＣタグ読取装置７０からの質問信号に対する第３重合部５３のＩＣタグ６０″からの応答は、図１３の収集情報構成図の収集番号３に示すように、ＩＤ情報が“Ａ００１２７５３”、固着情報が“未固着”、切除情報が“未切除”となり、ＩＣタグ読取装置７０からの質問信号に対する第４重合部５４のＩＣタグ６０″からの応答は、図１３の収集情報構成図の収集番号４に示すように、ＩＤ情報が“Ａ００１２７５４”、固着情報が“未固着”、切除情報が“未切除”となる。
【００５３】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【００５４】
例えば、上記の実施形態においては、ＩＣタグを配した重合部を設ける装置として遊技制御装置を示したが、排出・発射制御装置や電源装置等、その他の装置にＩＣタグを配した重合部を設けるようにしても良い。
【図面の簡単な説明】
【００５５】
【図１】本発明に係る遊技機の正面図である。
【図２】遊技機の裏面図である。
【図３】遊技機制御装置の前面側斜視図である。
【図４】遊技制御装置の分解斜視図である。
【図５】（ａ）は第１参考構成例に係るＩＣタグの概略正面図である。（ｂ）は第１参考構成例に係るＩＣタグの内部構造説明図である。
【図６】ベース部材のベース側重合部におけるＩＣタグの配置状態説明図である。
【図７】ベース部材に蓋部材を閉止して封止する工程説明図である。
【図８】第１参考構成例に係るＩＣタグを配した第１〜第４重合部からの応答状況説明図である。
【図９】図８においてＩＣタグ読取装置が各ＩＣタグより収集した収集情報構成図である。
【図１０】本発明の実施形態におけるＩＣタグの概略正面図である。
【図１１】本発明の実施形態におけるＩＣタグを配した第１〜第４重合部からの応答状況説明図である。
【図１２】第２参考構成例に係るＩＣタグを配した第１〜第４重合部からの応答状況説明図である。
【図１３】図１２においてＩＣタグ読取装置が各ＩＣタグより収集した収集情報構成図である。
【符号の説明】
【００５６】
１    遊技機
１４    遊技制御装置
２０    遊技制御基板
３０    ベース部材
４０    蓋部材
４０ａ  収納部
５０    基板ボックス
５１    第１重合部
５２    第２重合部
５３    第３重合部
５４    第４重合部
５５    ワンウェイネジ
６０    ＩＣタグ
６１    ＩＣ
６２    アンテナ
６４１  第１固着検知線
６４２  第２固着検知線
７０    ＩＣ読取装置
【図１】
0004452701.tif 000002
【図２】
0004452701.tif 000003
【図３】
0004452701.tif 000004
【図４】
0004452701.tif 000005
【図５】
0004452701.tif 000006
【図６】
0004452701.tif 000007
【図７】
0004452701.tif 000008
【図８】
0004452701.tif 000009
【図９】
0004452701.tif 000010
【図１０】
0004452701.tif 000011
【図１１】
0004452701.tif 000012
【図１２】
0004452701.tif 000013
【図１３】
0004452701.tif 000014